【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】
利用者の日常的な身体活動を評価する身体活動評価システムであって、
利用者の意識的運動に関するアンケート調査の結果を入力する意識的運動アンケートデータ入力部と、入力された意識的運動に関するアンケート調査結果を所定の基準に基づいて解析し評価をする意識的運動アンケートデータ処理部と、
身体活動測定装置により測定した利用者の実際の身体活動データを入力する身体活動データ入力部と、入力された身体活動データを所定の基準に基づいて解析し評価をする身体活動データ処理部と、
これらのデータ処理部によりそれぞれ評価した評価結果を併せて出力する出力部と、を有している身体活動評価システム。
【請求項２】
意識的活動に関するアンケートは、質問毎に複数の選択肢が設けられると共に選択肢毎に予め点数が設定されており、
意識的運動アンケートデータ処理部は、（１）質問毎に、その質問の回答として選択した選択肢の点数を特定し、（２）特定した全ての点数を加算した合計点を所定の基準値と比較することでアンケートを評価することを特徴とする請求項１に記載の身体活動評価システム。
【請求項３】
利用者の日常生活に係る身体活動に関するアンケート調査の結果を入力する日常生活アンケートデータ入力部と、入力された日常生活の身体活動に関するアンケート調査結果を所定の基準に基づいて解析し評価をする日常生活アンケートデータ処理部と、をさらに有しており、
出力部は、日常生活に係る身体活動に関するアンケート調査の評価結果を、意識的運動に関するアンケート調査の評価結果と身体活動データの評価結果と併せて出力することを特徴とする請求項１又は２に記載の身体活動評価システム。
【請求項４】
日常生活に係る身体活動に関するアンケートは、質問毎に複数の選択肢が設けられると共に選択肢毎に予め点数が設定されており、
日常生活アンケートデータ処理部は、（１）質問毎に、その質問の回答として選択した選択肢の点数を特定し、（２）特定した全ての点数を加算した合計点を所定の基準値と比較することでアンケートを評価することを特徴とする請求項３に記載の身体活動評価システム。
【請求項５】
身体活動測定装置は、利用者の運動消費カロリーを測定する装置であり、
身体活動データ処理部は、測定された利用者の運動消費カロリーを所定の基準値と比較することで利用者の身体活動を評価することを特徴とする請求項１乃至４のいずれかに記載の身体活動評価システム。
【請求項６】
身体活動測定装置は、利用者の運動消費カロリーを時系列的に測定する装置であり、
身体活動データ処理部は、測定された利用者の運動消費カロリーから特定される有酸素運動の継続時間と所定の基準値とを比較することで利用者の身体活動を評価することを特徴とする請求項１乃至４のいずれかに記載の身体活動評価システム。
【請求項７】
利用者の日常的な身体活動を評価する身体活動評価システムであって、
利用者の身体活動に関するアンケート調査の結果を入力する身体活動アンケートデータ入力部と、入力された身体活動に関するアンケート調査結果を所定の基準に基づいて解析し評価をする身体活動アンケートデータ処理部と、
身体活動測定装置により測定した利用者の実際の身体活動データを入力する身体活動データ入力部と、入力された身体活動データを所定の基準に基づいて解析し評価をする身体活動データ処理部と、
これらのデータ処理部によりそれぞれ評価した評価結果を併せて出力する出力部と、を有している身体活動評価システム。
【請求項８】
コンピュータを、請求項１乃至７のいずれかに記載の身体活動評価システムとして機能させるための健康管理用プログラム。
【手続補正２】
【補正対象書類名】明細書
【補正対象項目名】０００４
【補正方法】変更
【補正の内容】
【０００４】
【課題を解決するための手段】
本発明は、利用者の日常的な身体活動を評価する身体活動評価システムであって、利用者の意識的運動に関するアンケート調査の結果を入力する意識的運動アンケートデータ入力部と、入力された意識的運動に関するアンケート調査結果を所定の基準に基づいて解析し評価をする意識的運動アンケートデータ処理部と、身体活動測定装置により測定した利用者の実際の身体活動データを入力する身体活動データ入力部と、入力された身体活動データを所定の基準に基づいて解析し評価をする身体活動データ処理部と、これらのデータ処理部によりそれぞれ評価した評価結果を併せて出力する出力部とを有している身体活動評価システムである。
この評価システムでは、利用者の意識的運動に関するアンケート調査により利用者がイメージしている意識的運動と、実際の身体活動を個別に評価することができる。したがって、利用者に応じて適切なアドバイスが可能となる。
また、上述の評価システムでは、利用者の日常生活に係る身体活動に関するアンケート調査の結果を入力する日常生活アンケートデータ入力部と、入力された日常生活の身体活動に関するアンケート調査結果を所定の基準に基づいて解析し評価をする日常生活アンケートデータ処理部と、をさらに有しており、出力部は、日常生活に係る身体活動に関するアンケート調査の評価結果を、意識的運動に関するアンケート調査の評価結果と身体活動データの評価結果と併せて出力することができる。
【手続補正３】
【補正対象書類名】明細書
【補正対象項目名】０００５
【補正方法】変更
【補正の内容】
【０００５】
上記身体活動評価システムの一例を、図面を参照して説明する。図１に該システムの構成図を示す。この身体活動評価システムは、日常生活における身体活動を３つに分類して、その分類毎に取得したデータを、入力し、評価することができるように構成されている。すなわち、アンケート調査による日常生活に係る身体活動（日常活動）と、アンケート調査による意識的運動と、実際に実施された身体活動との３つに分類して取得したデータを入力して評価をするシステムである。
【手続補正４】
【補正対象書類名】明細書
【補正対象項目名】００１２
【補正方法】変更
【補正の内容】
【００１２】
この評価システムでは、身体活動を３つに分類して取得されたデータを入力してそれぞれ評価するとともに、その評価結果を併せて出力する出力部を備えている。図２にこの身体活動の評価結果の出力例を表す。ここでは評価結果を「良い」場合を○、「悪い」場合を×として表している。したがって、この例での身体活動評価結果は、実際の身体活動については「悪い」評価結果で、日常生活に係る身体活動については「良い」評価結果で、意識的運動については「悪い」評価結果を表している。なお、○と×とに２分化した場合の身体活動評価結果の起こり得るパターンとしては、図３で示すイ、ロ、ハ、ニ、ホ、ヘ、ト、及びチの８通りとなる。例として、このように○と×とに２分化して得られた身体活動評価結果を使用して行われるアドバイスの例を以下に示す。
【手続補正５】
【補正対象書類名】明細書
【補正対象項目名】００１８
【補正方法】変更
【補正の内容】
【００１８】
請求項７記載の発明は、コンピュータを、請求項１乃至６のいずれかに記載する身体活動評価システムとして機能させるための健康管理用プログラムである。請求項１乃至６のいずれかに記載する身体活動評価システムは通常のコンピュータ（ＯＳソフトを含む）、キーボード、プリンタ、液晶画面等、および専用に作成されたプログラムにより実現できる。したがって、この専用に作成された健康管理用プログラムを使用することにより、施設内にある既存のコンピュータ等を流用してこの身体活動評価システムを容易に安価に構築できる。なお、この健康管理用プログラムは既存のソフト作成手段により容易に作成することができる。